(57)【要約】【課題】切断片の発生がなく、また誤開封を抑制し、例えば幼児が簡単に開封するのを防止することができる一方、大人にとっては開封操作が単純で、容易に開封することのできる包装袋を提供すること。【解決手段】包装用フィルムを縦方向にヒートシールしてなる縦シール部と、横方向にヒートシールしてなる上側横シール部および下側横シール部とを有し、前記上側横シール部の、少なくとも１つの折返し辺側縁部に狭幅の注出通路を設けてなる包装袋であって、前記上側横シール部の注出通路の近傍位置に、少なくとも１つの開封疵を有し、前記開封疵の縦シール部側の端部からの延長線が上側横シール部の縦シール部側側端縁、上端縁または下端縁に交差するまでの距離Ａと、その折返し辺側の端部からの延長線が折返し辺側端縁に交差するまでの距離ＢがＡ＞Ｂを満たすように設けられていること。【選択図】図１
2018039559.tif 000002
【特許請求の範囲】
【請求項１】
包装用フィルムを幅方向に折り返し、重なり合う側縁どうしを縦方向にヒートシールしてなる縦シール部と、上端部と下端部とをそれぞれ横方向にヒートシールしてなる上側横シール部および下側横シール部とを有し、
前記上側横シール部の、少なくとも１つの折返し辺側縁部に、被包装物の充填スペースに連通する狭幅の注出通路を設けてなる包装袋であって、
前記上側横シール部の注出通路の近傍位置に、上側横シール部の上端縁および下端縁に対してほぼ平行な方向もしくは傾斜した方向に延在する少なくとも１つの開封疵を有し、
前記開封疵は、開封を開始するためのものであり、その縦シール部側の端部からの延長線が上側横シール部の縦シール部側側端縁、上端縁または下端縁に交差するまでの距離Ａと、その折返し辺側の端部からの延長線が折返し辺側端縁に交差するまでの距離ＢがＡ＞Ｂを満たすように設けられていることを特徴とする包装袋。
【請求項２】
前記開封疵が、線状疵または点状疵であることを特徴とする請求項１に記載の包装袋。
【請求項３】
前記距離Ａ間に、前記開封疵からの引裂きの進展を阻止する進展阻止部を有することを特徴とする請求項１または２に記載の包装袋。
【請求項４】
前記開封疵が、前記包装用フィルムを深さ方向に貫通するように切断または除去して設けた疵、または前記包装フィルムを深さ方向に一部切断または一部除去して設けた疵であることを特徴とする請求項１〜３のいずれか１項に記載の包装袋。
【請求項５】
前記開封疵上に、該開封疵に対して直角な方向、または前記注出通路の内側縁に平行な方向に延びる屈曲案内線を有することを特徴とする請求項１〜４のいずれか１項に記載の包装袋。
【請求項６】
前記開封疵が、折線形または曲線形の線状疵からなることを特徴とする請求項２〜５のいずれか１項に記載の包装袋。
【発明の詳細な説明】
【技術分野】
【０００１】
この発明は、液体、粘稠物、粉体等の被包装物を充填包装するための包装袋に関し、とくには、切断片が発生することがなく、しかも幼児が誤って開封し、被包装物を誤食や誤飲するのを防止することのできる機能を有する包装袋に関する。
【背景技術】
【０００２】
被包装物を充填包装するためのプラスチックフィルムからなる包装袋としては、例えば特許文献１および特許文献２に開示されているようなものがある。これらの包装袋は、上側横シール部上の、包装用フィルムを幅方向に折り返してなる折返し側縁部に、被包装物の充填スペースに連通する狭幅の注出通路を有すると共に、該上側横シール部の上端辺から前記注出通路の側端辺部に向かって引裂き誘導疵が設けられている。
【０００３】
これらの文献の包装袋によれば、被包装物の注出通路が包装用フィルムの折返し辺側に設けられているため、圧力を加えなくても包装用フィルムの復元力によって常に楕円状に開口した状態にあり、しかも被包装物が狭幅の注出通路に沿って一定の方向に注出されるため、被包装物の注出が容易で、注出時に被包装物が飛散することがなく、液だれの発生を阻止することができる。
【先行技術文献】
【特許文献】
【０００４】
【特許文献１】特許第４２２１４３１号公報
【特許文献２】特許第４２４６７６０号公報
【発明の概要】
【発明が解決しようとする課題】
【０００５】
上記従来技術の包装袋では、使用にあたって包装袋の上側横シール部上に設けられた引裂き誘導疵に沿って、該横シール部隅部（角部）を切り取って注出口を開封するように構成されているため、どうしても切断片（フィルム片）が発生し、例えば、小袋の場合には、該切断片が非常に小さくて切り取った後の取扱いが面倒であると共に、食品等へ誤って混入する可能性があった。
【０００６】
また、上記従来の包装袋は、横シール部隅部（角部）を手指で挟持し、引っ張るだけで前記引裂き誘導疵に沿って簡単に開封することができるため、幼児が誤って開封し、被包装物を誤飲や誤食する可能性があり、さらに包装袋の梱包や輸送などの取り扱い中や、連包状態（複数個が繋がった状態）の包装袋をミシン目を介して１袋ずつ、もしくは所要の数毎に切り離す際に、引裂き誘導疵が、上側横シール部の上端辺部分から切れて、注出通路や被包装物の充填スペースにまで破断が進行し、被包装物が漏れ出すことがあった。
【０００７】
そこで、この発明では、従来技術が抱えるこのような問題点を解決することを課題とするものであり、それの目的とするところは、切断片の発生がなく、また誤開封を抑制し、例えば幼児が簡単に開封するのを防止することができる一方、大人にとっては開封操作が単純で、容易に開封することのできる包装袋を提供することにある。
【課題を解決するための手段】
【０００８】
この発明の包装袋は、包装用フィルムを幅方向に折り返し、重なり合う側縁どうしを縦方向にヒートシールしてなる縦シール部と、上端部と下端部とをそれぞれ横方向にヒートシールしてなる上側横シール部および下側横シール部とを有し、
前記上側横シール部の、少なくとも１つの折返し辺側縁部に、被包装物の充填スペースに連通する狭幅の注出通路を設けてなる包装袋であって、
前記上側横シール部の注出通路の近傍位置に、上側横シール部の上端縁および下端縁に対してほぼ平行な方向もしくは傾斜した方向に延在する少なくとも１つの開封疵を有し、
前記開封疵は、開封を開始するためのものであり、その縦シール部側の端部からの延長線が上側横シール部の縦シール部側側端縁、上端縁または下端縁に交差するまでの距離Ａと、その折返し辺側の端部からの延長線が折返し辺側端縁に交差するまでの距離ＢがＡ＞Ｂを満たすように設けられていることを特徴とするものである。
【０００９】
上記本発明の包装袋においては、
（１）前記開封疵が、線状疵または点状疵であること、
（２）前記距離Ａ間に、前記開封疵からの引裂きの進展を阻止する進展阻止部を有すること、
（３）前記開封疵が、前記包装用フィルムを深さ方向に貫通するように切断または除去して設けた疵、または前記包装フィルムを深さ方向に一部切断または一部除去して設けた疵であること、
（４）前記開封疵上に、該開封疵に対して直角な方向、または前記注出通路の内側縁に平行な方向に延びる屈曲案内線を有すること、
（５）前記開封疵が、折線形または曲線形の線状疵からなること、
がより好ましい解決手段である。
【発明の効果】
【００１０】
本発明に係る包装袋では、上側横シール部の外縁よりも内側の、注出通路の近傍位置に１または複数の開封疵を設け、該開封疵を、その縦シール部側の端部からの延長線が上側横シール部の縦シール部側側端縁、上端縁または下端縁に交差するまでの距離Ａと、その折返し辺側の端部からの延長線が折返し辺側端縁に交差するまでの距離ＢがＡ＞Ｂを満たすように延在させている。
これにより、開封疵からの引裂き開封によって、上側横シール部の、折返し辺側は切り取られて注出通路を開口することができる一方、縦シール部側は、開封疵からの引裂きが上側横シール部の端縁まで到達しないため切り離されることがなく、繋がった状態のままになり、切断片（フィルム片）が発生することがなく、該切断片が食品等に混入することや、排水管につまりを招くようなことがない。
【００１１】
また、この包装袋では、開封のための疵が包装袋の外縁にないため、取り扱い中に誤って開封されてしまうおそれがなく、しかも幼児にとっては開封の始端を認識することが難しい。さらに、包装袋の開封に際しては、開封疵位置で上側横シール部を幅方向に折畳み、その状態で該開封疵を始端として注出通路まで引裂く、という２段階の操作が必要になるため、大人にとっては簡単に開封することができるものの、幼児が容易に包装袋を開封することができないので、幼児による誤飲や誤食を有効に防止することができる。
【００１２】
さらに、本発明は、開封疵を上側横シール部の上端縁および下端縁に対して平行または傾斜した方向に１ないし複数設けて、開封疵の数および形成方向を選択可能なものにすることで、被包装物の種類や用途、使用者の好み等に合わせて注出口の断面積および形状を変えて、注出量および吐出方向を調整することができる。
【００１３】
また、本発明では、上記開封疵から、その縦シール部側の端部からの延長線が上側横シール部の縦シール部側側端縁、上端縁または下端縁に交差するまでの距離Ａ間に、例えば、樹脂溜まりや切り込み、凹凸等からなる進展阻止部を設けることが好ましく、これによれば引裂きの進展を上側横シール部上において確実に防止し、切断片の発生を有効に防止することができる。
【００１４】
また、本発明では、包装袋の開封にあたり、上記したように開封疵位置で上側横シール部を幅方向に折り畳むが、その折畳みを容易にするため、該開封疵に対して直角な方向または注出通路の内側縁に平行な方向に向かう屈曲案内線を形成しておくことが好ましい。
【００１５】
また、本発明では、開封疵が−（マイナス）形の他、Ｖ字やＷ字等の折線形またはＵ字の曲線形の線状疵や点状（小孔状）疵からなることが好ましく、例えば、線状疵をほぼ平行に複数設けた場合には、引裂き位置を選択することで注出口の開口幅を変えることができるため、使用者によって吐出量を適宜、調整することができる。また、開封疵がＶ字やＷ字、あるいはＵ字等の線状疵からなる場合には、上側横シール部を折り畳むことなく、該線状疵の先端部分を手指で摘まんで引っ張るだけで簡単に開封することができる。
【図面の簡単な説明】
【００１６】
【図１】この発明の包装袋の一実施形態を示す図である。
【図２】図１の包装袋の開封方法を示す図であり、（ａ）は上部シール部を開封疵位置で折り畳んだ図であり、（ｂ）は開封疵から引裂き開封した状態を示す部分拡大図である。
【図３】図１の包装袋を開封した状態を示す図である。
【図４】（ａ）および（ｂ）は、開封疵の他の一実施形態を示す部分拡大図であり、（ａ）は開封疵が上側横シール部の上端縁に対して複数平行に設けられた場合、（ｂ）は開封疵が上側横シール部の上端縁に対して傾斜した方向に設けられた場合であり、（ｃ）は本発明の比較例を示す。
【図５】（ａ）は上側横シール部の全幅にわたって進展阻止部を設けた場合、（ｂ）は上側横シール部の長さ方向に直線状の進展阻止部を設けた場合、（ｃ）は円弧状の進展阻止部を設けた場合を示す。
【図６】開封疵の他の一実施形態を示す部分拡大図であり、（ａ）は複数の点状疵からなる場合、（ｂ）は複数の線状疵からなる場合を示す。
【図７】開封疵の他の一実施形態を示す部分拡大図であり、（ａ）はＶ字形の線状疵、（ｂ）はＷ字形の線状疵、（ｃ）はＵ字形の線状疵からなる場合を示す。
【発明を実施するための形態】
【００１７】
以下に、この発明の好適な実施形態を図面に示すところに基づいて説明する。
図１に示す本発明の一実施形態の包装袋１は、例えばベースフィルム層とシーラント層を含む二層以上の積層構造をもつ包装用フィルムを、シーラント層が内面側になるように折り返した後、重なり合う側端縁部どうしを縦方向にヒートシール、インパルスシール、高周波ウェルダーシール、超音波シール、その他によって図に斜線を施して示すようにシールして縦シール部４を設けると共に、上端部および下端部をそれぞれ横方向にシールして上側横シール部２、下側横シール部３を設けることにより形成される。なお、上側横シール部２、下側横シール部３、縦シール部４および折返し部５によって囲繞された非シール部分が被包装物の充填スペース６となる。
【００１８】
この包装袋１は、上側横シール部２の折返し部５側に非シール部からなる注出通路１１を有し、該注出通路１１は、包装用フィルムの復元力によって常にストロー状に開口した状態となるため、充填スペース６内の被包装物の注出が容易で、注出時に被包装物が飛散することがなく、液だれの発生を阻止することができるという特徴を有している。注出通路１１は、図１に示すような充填スペース６側から上側横シール部２の上端縁２ａに向かって次第に狭幅となる先細り三角形状の他、台形状や長方形状等とすることができる。なお、注出通路１１が、図１のような先細り三角形状や台形状からなる場合には、内側縁１１ａの充填スペース６側の傾斜角度θを２０°〜９０°、好ましくは４５°〜６０°とすることが好ましく、被包装物を注出通路１１に沿って一定の方向に滑らかに注出することができるようになる。
【００１９】
本実施形態の包装袋１は、三方シール袋であるが、本発明は、包装用フィルムの折返し辺を有するものであればどのような形態であってもよく、合掌貼り包装袋、背貼り包装袋、スタンドパウチ、ガゼット袋等の各種のものとすることができ、例えば背貼り包装袋の場合には、両側部が折返し辺からなるため、その一方のみならず両方に注出通路１１を形成することもできる。
【００２０】
図１の包装袋１では、上側横シール部２上の注出通路１１の近傍位置に、上側横シール部２の上端縁２ａとほぼ平行に延びる線状の開封疵８が設けられている。この開封疵８は、注出通路１１の縦シール部４側の端部８ａからの（図に二点鎖線で示す）延長線が縦シール部４側側端縁に到るまでの距離Ａと、折返し部５側の端部８ｂからの（図に二点鎖線で示す）延長線が折返し部５側端縁に到るまでの距離ＢとがＡ＞Ｂを満たすように設けられ、該開封疵８の位置において、図２（ａ）に示すように上側横シール部２を、包装袋１の幅方向に２つに折り畳み、その状態で該開封疵８を境界として上側横シール部２を両手指で把持し、図２（ｂ）に示すように上下方向に引っ張って開封疵８を始端として注出通路１１まで引裂くことで、図３に示すように注出通路１１に注出口９を簡単に形成することができる。
【００２１】
即ち、この包装袋１では、開封のための開封疵８が上側横シール部２の内側に位置し、包装袋１の外縁に開封部が何も設けられていないため、幼児にとってはその位置を把握することが難しく、しかも開封に際し、まず上側横シール部２を開封疵８の位置において幅方向に折畳み、次に開封疵８を始端として引裂き開封する、という２段階の操作が必要になるため、その操作を行うことが困難で、チャイルドレジスタンス機能を発揮することができ、幼児の誤開封による誤飲や誤食を有効に防止することができる。
【００２２】
なお、開封疵８の端部８ｂから注出通路１１の内側縁１１ａまでの長さは、好ましくは０．５〜１５．０ｍｍ、より好ましくは２．０〜８．０ｍｍの範囲とする。これは、開封疵８の端部８ｂと、注出通路１１の内側縁１１ａとのクリアランスが、１５．０ｍｍ超の場合には、手指で引裂いた際に包装用フィルムが伸びて切り取ることができないおそれがあり、一方、前記クリアランスが０．５ｍｍ未満の場合には、取り扱い中に開封疵８から誤って開封されてしまうおそれがあるためである。
【００２３】
また、包装袋１を図２（ｂ）に示したように開封疵８を境界として、両手指で引っ張ると、図１に示したように開封疵８は、一方の端部８ａからの延長線が、縦シール部４側側端縁に到るまでの距離Ａと、他方の端部８ｂからの延長線が折返し部５側端縁に到るまでの距離ＢとがＡ＞Ｂを満たすように設けられているため、開封疵８から引裂きを開始すると、注出通路１１側については折返し部５に達するまで引裂きが進展して切り取られるが、他方の縦シール部４側については、図３に示すように上側横シール部２上において引裂きが停止し、そのため、包装袋１の開封に際して、切断片（フィルム片）が発生することがない。
【００２４】
なお、開封疵８の長さ（端部８ａから端部８ｂまでの距離）は、好ましくは０．５ｍｍ〜１５．０ｍｍ、より好ましくは２．０〜５．０ｍｍの範囲とする。これは、開封疵８の長さが、０．５ｍｍ未満の場合には、後述するように開封疵８を始端として手指で引裂き開封するのが困難になり、一方、１５．０ｍｍ超の場合には、輸送中などの取り扱い時に意図せずに破断し、開封状態になるおそれがあるためである。
【００２５】
次に、図４（ａ）および図４（ｂ）は、この発明の包装袋１における開封疵８の他の一実施形態であり、図４（ａ）は、開封疵８を上側横シール部２の上端縁２ａとほぼ平行に複数（図では３つ）設けた場合であり、図４（ｂ）は、開封疵８を、上側横シール部２の上端縁２ａに対して傾斜した方向に設けた場合を示す。
【００２６】
図４（ａ）のように複数の開封疵８を設けた場合には、開封疵８の形成位置によって注出口の注出断面積（注出量）を異ならせることができるため、被包装物の種類や使用者の好み等に合わせて、複数の開封疵８の中から適宜選択することで、注出口からの被包装物の注出量を簡単に調整することができる。
【００２７】
図４（ｂ）の開封疵８は、その端部８ｂからの延長線（二点鎖線で示す）が折返し部５と交差するまでの距離Ｂと、端部８ａからの延長線（二点鎖線で示す）が上側横シール部２の下端縁２ｂと交差するまでの距離ＡがＡ＞Ｂを満たすように設けられているため、開封疵８を始点として引裂き開封すると、折返し部５側に向かう引裂き（距離Ｂ側）が先に注出通路１１の折返し部５側側端縁まで到達し、一方、縦シール部４側に向かう引裂き（距離Ａ側）は上側横シール部２上で止まることになり、切断片が発生することがなく、また被包装物が注出口とは異なる位置から意図せず漏出するおそれもない。
【００２８】
なお、図４（ｂ）においては、開封疵８の端部８ａからの延長線が、図では下端縁２ｂに到達するまでの距離Ａ間に、樹脂溜まりや切り込み、凹凸等からなる進展阻止部１０を設けて引裂きの進展を阻止し、これによって切断片の発生を確実に防止することが好ましい。これによれば、開封疵８からの引裂き方向がその延長線上からずれた場合や、引裂き力が強くなり過ぎて意図せず引裂きが進展した場合等においても、引裂きの上側横シール部２端縁への到達を確実に阻止することができるため、切断片の発生をより効果的に阻止することができる。
【００２９】
なお、上記進展阻止部１０は、上側横シール部２上に複数設けてもよく、また図４（ｂ）や図４（ｃ）に示すような上側横シール部２の上端縁２ａから下端縁２ｂまで延びるものや、図５（ａ）に示すような上側横シール部２の幅方向に延びるもの、図５（ｂ）に示すような直線状の切込み、図５（ｃ）に示すような円弧状のもの等とすることができる。
【００３０】
ここで、進展阻止部１０は、上側横シール部２の長さ方向（縦方向）や幅方向（横方向）長さの２０％以上、好ましくは４０〜８０％の長さにすることが好ましく、これによれば開封疵８からの引裂き方向が、その延長線上からずれたとしても、引裂きの進展を確実に阻止することができる。なお、開封疵８からの引裂きの進展方向は、包装袋１を構成する積層フィルムの構成や材質、延伸方向等に影響されるため、該積層フィルムに合わせて進展阻止部１０の構造、形状および数を適宜選択することが好ましい。
【００３１】
ところで、図４（ｃ）に示す例では、開封疵８の端部８ｂからの延長線（二点鎖線で示す）が、折返し部５と交差するまでの距離Ｂと、端部８ａからの延長線（二点鎖線で示す）が上側横シール部２の下端縁２ｂと交差するまでの距離ＡがＡ≦Ｂとなっている。この場合、上記したように開封疵８を始点として引裂き開封すると、一方の引裂きが折返し部５に到達する前に、他方の引裂きが図では下端縁２ｂに到達し、被包装物が注出口とは異なる位置から漏出することになる。なお、図に示すように、開封疵８の端部８ａからの延長線が、図では下端縁２ｂに到達するまでの距離Ａ間に、樹脂溜まりや切り込み、凹凸等からなる進展阻止部１０を設けて引裂きの進展を阻止し、これによって切断片の発生を防止することもできるが、引裂きを、注出通路１１の折返し部５側側端縁まで進行させるのが難しく、注出口を開封できないことや、意図しない箇所が開封する等のおそれがある。
【００３２】
また、この包装袋１では、図５（ａ）に示すように上側横シール部２上に注出通路１１の内側縁１１ａに平行に延びる屈曲案内線７や、図５（ｂ）、（ｃ）に示すよう線な開封疵８に対して直角な方向に延びる屈曲案内線７を設けてもよい。この屈曲案内線７は、上側横シール部２上に印刷やシワ、ハーフカット疵等を１または複数、設けることにより形成され、図２（ａ）に示すように上側横シール部２を開封疵８位置において折り畳む際に、簡単かつ正確に折り返すことができ、開封疵８を始端として引裂き開封する際に、所期した方向に正確に引裂きを進展させることができる。
【００３３】
さらに、図６では（ａ）開封疵８が複数の点状疵からなる場合、（ｂ）開封疵８が複数の−（マイナス）線状疵からなる場合を示す。
【００３４】
開封疵８が、図６（ａ）に示すように複数の点状疵からなる場合には、点状疵部分であればどこからでも手指で簡単に引裂くことができる。なお、複数の点状疵がランダムに設けられていると、引裂きを所期した方向に正確に指向させることが難しいため、図６（ａ）に示すように、開封疵８（点状疵）上に屈曲案内線７を設けることや、点状疵を一方向に整列させる等して引裂き方向を制御することが好ましい。
【００３５】
ここで、点状疵は、疵の長さ（直径）を０．２〜２．０ｍｍ程度とし、隣接する疵同士は０．２〜２．０ｍｍ離間して設ける。これは、疵が大きすぎたり、形成間隔が小さすぎたりすると破断しやすくなり、取り扱い中に破袋するおそれがあり、また疵同士の形成間隔が大きくなり過ぎると、手指での引裂きが困難になってしまうからである。
【００３６】
また、図６（ｂ）のように上側横シール部２の上端縁２ａにほぼ平行な−（マイナス）線状の開封疵８を複数（図では５つ）、包装袋１の幅方向に整列させて設けた場合には、注出通路１１に向かって正確に引裂きを進行させることが
【００３７】
図７では、開封疵８が（ａ）Ｖ字の折線形の線状疵、（ｂ）Ｗ字の折線形の線状疵、（ｃ）Ｕ字の曲線形の線状疵からなる場合を示す。なお、折線形または曲線形の線状疵は、図７（ａ）〜（ｃ）に限定されるものではなく、側端にある一辺が上側横シール部２ａの端縁（上端縁２ａ、下端縁２ｂ、側端縁２ｃ）に向かうように、他の一辺が折返し部５に向かうように形成されたものであればどのようなものであってもよい。
【００３８】
図７（ａ）のＶ字形の線状疵からなる開封疵８は、その端部８ａからの延長線（二点鎖線で示す）が上側横シール部２の上端縁２ａに交差するまでの距離Ａと、端部８ｂからの延長線（二点鎖線で示す）が折返し部５に交差するまでの距離ＢがＡ＞Ｂとなっている。そのため、このＶ字形開封疵８によれば、上側横シール部２ａを２つに折り畳むことなく、Ｖ字の先端１２を手指で摘まんで引っ張るだけで簡単に開封することができ、さらに、開封疵８からの引裂きによって折返し部５側に向かう引裂き（距離Ｂ側）が先に注出通路１１の折返し部５側側端縁まで到達し、一方、上端縁２ａ側に向かう引裂き（距離Ａ側）は上側横シール部２上で止まることになり、切断片が発生することがなく、また被包装物が注出口とは異なる位置から意図せず漏出するおそれもない。なお、Ｖ字形の開封疵８は、そのＶ字の内角が１０°〜１７０°の範囲にあること、より好ましくは６０°〜１２０°の範囲とし、この範囲内とすることで、開封疵の先端１２を手指で摘まんで、スムーズに開封を開始することができる。
【００３９】
同様に、図７（ｂ）のＷ字形の線状疵からなる開封疵８および図７（ｃ）のＵ字形の線状疵からなる開封疵８もまた、上記した距離Ａと距離Ｂが、Ａ＞Ｂとなっているため開封疵８からの引裂きにおいて、切断片が発生することがなく、線状疵の先端１２を手指で摘まんで引っ張るだけで簡単に開封することができる。
【００４０】
なお、開封疵８を始端として引裂くと、包装用フィルムのフィルム構成や延伸方向等によって、引裂きが開封疵８の二点鎖線で示す延長線方向に進まず、例えば図７（ａ）に点線で示すように端部８ａから縦シール部４側に逸れた方向や、端部８ｂから下向き方向に進展することがある。そのため、この包装袋１においても、開封疵８の上側横シール部２の上端縁２ａ側（距離Ａ間）に進展阻止部１０を設けて、引裂きが上端縁２ａまで進展するのを確実に阻止することがより好ましい。
また、図７（ａ）〜（ｃ）に示す開封疵８の先端１２部分は切り取らず、シール部分を残しておいた場合には、取り扱い中に開封疵８が誤って開封されることを抑制することができる。
【００４１】
また、開封疵８は、包装用フィルムを貫通させて設けた貫通疵の他、包装用フィルムを構成する積層フィルムの、例えばベースフィルム層のみ（シーラント層のみ）を切断（ハーフカット）したり、炭酸ガスレーザやＹＡＧレーザ等のレーザ光線の照射によって連続的あるいは間欠的に溶融蒸発、昇華等させるなどして除去し、該部分のフィルム強度を低下させることで設けた易開封疵によって形成することができる。なお、開封疵８の深さは、包装用フィルムの構成材料や厚み等の条件に応じて適宜選択することが好ましい。
【産業上の利用可能性】
【００４２】
この発明に係る包装袋は、液状、粘稠状あるいは粉状の飲食物、洗剤、化学品、医薬品等の包装袋として使用することができる。
【符号の説明】
【００４３】
１  包装袋
２  上部シール部
２ａ  上端辺
２ｂ  下端辺
２ｃ  側端辺
３  下部シール部
４  側部シール部
５  折返し部
６  充填スペース
７  屈曲案内線
８  開封疵
８ａ、８ｂ  端部
９  注出口
１０  進展阻止部
１１  注出通路
１２  先端
【図１】
2018039559.tif 000003
【図２】
2018039559.tif 000004
【図３】
2018039559.tif 000005
【図４】
2018039559.tif 000006
【図５】
2018039559.tif 000007
【図６】
2018039559.tif 000008
【図７】
2018039559.tif 000009